(57)【要約】【課題】  印刷済みのシートに印刷を行う場合に、印刷済みのシートの印刷されている面に印刷を実行するように制御する。【解決手段】    シートを格納するシート格納手段と、両面印刷のための両面搬送路を用いて前記シートを搬送する搬送手段と、シートに画像を印刷する印刷手段とを備える画像形成装置において、前記両面搬送路を用いて搬送される前記シートの面を読み取り、読み取った面が印刷済みの面である場合、前記両面搬送路を用いて搬送されるシートに対する印刷を実行する。一方、読み取った面が印刷済みの面でない場合、前記両面搬送路を用いて搬送されるシートに対する印刷を制限する。【選択図】  図１０
2013235038.tif 000002
【特許請求の範囲】
【請求項１】
シートを格納するシート格納手段と、
両面印刷をするための両面搬送路を用いて前記シートを搬送する搬送手段と、
シートに画像を印刷する印刷手段と、
前記シート格納手段から搬送される印刷済みのシートの印刷されている面に画像を印刷する印刷モードを設定する設定手段と、
前記両面搬送路を用いて搬送される前記シートの面を読み取る読取手段と、
前記読取手段で読み取った面が印刷済みの面であるかどうかを判断する判断手段と、
前記印刷モードが設定された場合で、前記読取手段で読み取った面が印刷済みの面であると判断した場合、前記両面搬送路を用いて搬送されるシートに対する印刷を制御し、前記印刷モードが設定された場合で、前記読取手段で読みった面が印刷済みの面でないと判断した場合、前記両面搬送路を用いて搬送されるシートに対する印刷を制限する印刷制御手段と、
を備えることを特徴とする画像形成装置。
【請求項２】
シートを格納するシート格納手段と、
両面印刷のための両面搬送路を用いて前記シートを搬送する搬送手段と、
シートに画像を印刷する印刷手段と、
前記シート格納手段から搬送される印刷済みのシートの印刷されている面に画像を印刷する上書き印刷モードまたは前記シート格納手段から搬送される印刷済みのシートの印刷されていない裏面に画像を印刷する裏面印刷モードを印刷モードとして設定する設定手段と、
前記両面搬送路を用いて搬送される前記シートの面を読み取る読取手段と、
前記読取手段で読み取った面が印刷済みの面であるかどうかを判断する判断手段と、
前記設定手段により設定された印刷モードと前記判断手段による判断に基づいて、前記上書き印刷モードによる印刷処理と、前記裏面印刷モードによる印刷処理を制御する制御手段と、
を備えることを特徴とする画像形成装置。
【請求項３】
前記上書き印刷モードが設定された場合、前記制御手段は、前記読取手段で読み取った面が印刷済みの面であると判断した場合、前記両面搬送路を用いて搬送されるシートに対する印刷を制御し、前記読取手段で読みった面が印刷済みの面でないと判断した場合、前記両面搬送路を用いて搬送されるシートに対する印刷を制限することを特徴とする請求項２に記載の画像形成装置。
【請求項４】
前記裏面印刷モードが設定された場合、前記制御手段は、前記読取手段で読み取った面が印刷済みの面であると判断した場合、前記両面搬送路を用いて搬送されるシートに対する印刷を制限し、前記読取手段で読み取った面が印刷済みの面でないと判断した場合、前記両面搬送路を用いて搬送されるシートに対する印刷を制御することを特徴とする請求項２または３に記載の画像形成装置。
【請求項５】
前記シート格納手段は、第１面または第２面に画像が印刷された印刷済みのシートを格納することを特徴とする請求項１または２記載の画像形成装置。
【請求項６】
前記読取手段は、搬送される原稿の画像を読み取ることを特徴とする請求項１または２記載の画像形成装置。
【請求項７】
前記印刷手段は、前記読取手段が読み取る原稿の画像データに基づいて前記シート格納手段から搬送されるシートに画像を印刷することを特徴とする請求項１または２記載の画像形成装置。
【請求項８】
シートを格納するシート格納手段と、
シートに画像を印刷する印刷手段と、
前記シート格納手段から搬送される印刷済みのシートの印刷されている面に画像を印刷する印刷モードを設定する設定手段と、
前記シート格納手段から搬送されるシートの面を読み取る読取手段と、
前記印刷モードが設定された場合で、前記読み取り手段で読み取った面が印刷済みの面である場合に、前記シートに対する印刷を制御する制御手段と、
を備えることを特徴とする画像形成装置。
【請求項９】
シートを格納するシート格納手段と、両面印刷のための両面搬送路を用いて前記シートを搬送する搬送手段と、シートに画像を印刷する印刷手段とを備える画像形成装置の制御方法であって、
前記シート格納手段から搬送される印刷済みのシートの印刷されている面に画像を印刷する印刷モードを設定する設定工程と、
前記両面搬送路を用いて搬送される前記シートの面を読取手段で読み取る読取工程と、
前記読取手段で読み取った面が印刷済みの面であるかどうかを判断する判断工程と、
前記印刷モードが設定された場合で、前記読取手段で読み取った面が印刷済みの面であると判断した場合、前記両面搬送路を用いて搬送されるシートに対する印刷を制御し、前記印刷モードが設定された場合で、前記読取手段で読み取った面が印刷済みの面でないと判断した場合、前記両面搬送路を用いて搬送されるシートに対する印刷を制限する印刷制御工程と、
を備えることを特徴とする画像形成装置の制御方法。
【請求項１０】
シートを格納するシート格納手段と、シートに画像を印刷する印刷手段とを備える画像形成装置の制御方法であって、
前記シート格納手段から搬送される印刷済みのシートの印刷されている面に画像を印刷する印刷モードを設定する設定工程と、
前記シート格納手段から搬送されるシートの面を読取手段で読み取る読取工程と、
前記印刷モードが設定された場合で、前記読み取り手段で読み取った面が印刷済みの面である場合に、前記シートに対する印刷を制御する印刷制御工程と、
を備えることを特徴とする画像形成装置の制御方法。
【請求項１１】
請求項９または１０に記載の画像形成装置の制御方法をコンピュータに実行させることを特徴とするプログラム。
【発明の詳細な説明】
【技術分野】
【０００１】
本発明は、印刷済みのシートに画像を印刷する画像形成装置、画像形成装置の制御方法、及びプログラムに関するものである。
【背景技術】
【０００２】
下記特許文献１には、給紙部から排紙部に至る転写紙搬送経路中に画像読み取り手段を配設することで、原稿搬送系統と転写紙搬送系統を共通利用している。
【０００３】
上述のような画像形成装置の場合、給紙段の原稿に対して印刷手段で印刷する前に、読み取り手段によってその給紙段の原稿を読み取り、原稿の画像データを取得した後に、給紙段の原稿に対して印刷することが可能である。
【先行技術文献】
【特許文献】
【０００４】
【特許文献１】特開平２０００−１８５８８１号公報
【発明の概要】
【発明が解決しようとする課題】
【０００５】
一方、このような画像形成装置において、すでに原稿の片面または両面が印刷済みである原稿に対して、さらに重ねて印刷することが可能な紙搬送経路や印刷部を有するものも存在する。この用途としては、すでに規定のフォームが印刷されている原稿に対して重ねて印刷する上書き印刷や、片面のみ印刷した原稿のもう一方の白紙に対して印刷する裏紙印刷が考えられる。
【０００６】
このような印刷処理を行う場合、ユーザが当該印刷処理を実行する前に、給紙段に片面または両面が印刷済みの原稿を入れておき、ＰＣなどの情報処理装置から送信された印刷ジョブ（印刷データ）を画像形成装置が受信し、上書き印刷や裏紙印刷が実行される。
【０００７】
しかしながら、ユーザが情報処理装置から印刷ジョブを送信する際に、送信先の画像形成装置の給紙段にどのような原稿が入っているかわからない場合、意図しない原稿面に印刷してしまう場合がある。例えば、ユーザが規定のフォームがすでに印刷されている原稿に対して上書き印刷を行う際に、給紙段に規定のフォームを持つ原稿が裏表逆に入る場合や、白紙が入る場合などでは、誤って規定のフォームでは無い面に印刷してしまう。もしくは、ユーザが片面のみ印刷されている原稿の白紙の面に対して裏紙印刷を行う際に、給紙段に片面印刷された原稿が裏表面を逆に入れた場合や、両面印刷された原稿を入れた場合などでは、誤って白紙では無い原稿の面に印刷処理が実行されてしまう。これにより、予期しない印刷結果となる。この場合、ユーザは、再度セットした印刷すべきシートの面を逆転させて再度印刷処理を行う等の手間がかかりとても煩雑であるとともに、シート無駄が発生してしまう。
【０００８】
本発明は、上記の課題を解決するためになされたもので、本発明の目的は、印刷済みのシートに印刷を行う場合に、印刷済みのシートの印刷されている面に印刷を実行するように制御できる仕組みを提供することである。
【課題を解決するための手段】
【０００９】
上記目的を達成する本発明の画像形成装置は以下に示す構成を備える。
シートを格納するシート格納手段と、両面印刷のための両面搬送路を用いて前記シートを搬送する搬送手段と、シートに画像を印刷する印刷手段と、前記シート格納手段から搬送される印刷済みのシートの印刷されている面に画像を印刷する印刷モードを設定する設定手段と、前記両面搬送路を用いて搬送される前記シートの面を読み取る読取手段と、前記読取手段で読み取った面が印刷済みの面であるかどうかを判断する判断手段と、前記印刷モードが設定された場合で、前記読取手段で読み取った面が印刷済みの面であると判断した場合、前記両面搬送路を用いて搬送されるシートに対する印刷を制御し、前記印刷モードが設定された場合で、前記読取手段で読み取った面が印刷済みの面でないと判断した場合、前記両面搬送路を用いて搬送されるシートに対する印刷を制限する印刷制御手段と、を備えることを特徴とする。
また、シートを格納するシート格納手段と、シートに画像を印刷する印刷手段と、前記シート格納手段から搬送される印刷済みのシートの印刷されている面に画像を印刷する印刷モードを設定する設定手段と、前記シート格納手段から搬送されるシートの面を読み取る読取手段と、前記印刷モードが設定された場合で、前記読み取り手段で読み取った面が印刷済みの面である場合に、前記シートに対する印刷を制御する制御手段と、
を備えることを特徴とする。
【発明の効果】
【００１０】
本発明によれば、印刷済みのシートに印刷を行う場合に、印刷済みのシートの印刷されている面に印刷を実行するように制御できる。
【図面の簡単な説明】
【００１１】
【図１】本実施形態を示す画像形成装置の構成を説明する断面図である。
【図２】本実施形態を示す画像形成装置における両面印刷プロセスを示す図である。
【図３】本実施形態を示す画像形成装置における原稿表面の読み取り開始時の状態を示す図である。
【図４】画像形成装置における原稿表面である第一面目の読み取り終了時の状態を説明する図である。
【図５】画像形成装置における原稿裏面である第二面目の読み取り開始時の状態を説明する図である。
【図６】画像形成装置における原稿裏面の読み取り終了時の状態を説明する図である。
【図７】画像形成装置における記録材への画像形成が完了した状態を説明する図である。
【図８】画像形成装置の制御構成を説明するブロック図である。
【図９】図１に示した原稿読み取り部の構成を説明図である。
【図１０】本実施形態を示す情報処理装置の構成を説明ブロック図である。
【図１１】本実施形態を示す情報処理装置の制御方法を説明するフローチャートである。
【図１２】図１０に示したＰＣ表示部に表示されるＵＩ画面の一例を示す図である。
【図１３】本実施形態を示す画像形成装置の制御方法を説明するフローチャートである。
【図１４】本実施形態を示す画像形成装置の制御方法を説明するフローチャートである。
【図１５】図１０に示したＰＣ表示部に表示されるＵＩ画面の一例を示す図である。
【発明を実施するための形態】
【００１２】
次に本発明を実施するための最良の形態について図面を参照して説明する。
＜システム構成の説明＞
〔第１実施形態〕
図１は、本実施形態を示す画像形成装置の構成を説明する断面図である。以下、画像形成プロセスについて説明する。本例は、複合機能付画像形成装置の例を示す。なお、本実施形態に示す画像形成装置において、後述する第１給紙部、第２の給紙部から給紙する用紙（シート）と呼び、第２給紙部から印刷に供しない用紙を原稿と呼んで区別する。ただし、第２給紙部は、印刷に供する用紙も給紙可能である。
【００１３】
図１において、画像形成装置１の中央には、像担持体となる回転可能な感光ドラム１０と、感光ドラム１０と並接し、トナーを保持しながら回転する現像ローラ１１が配置されている。印刷信号を受けると、光学ユニット２が具備する発光部２１が、回転する感光ドラム１０の表面にレーザ光を照射する。レーザ光を照射された感光ドラム１０の表面は、電荷による潜像画像を形成する。現像ローラ１１が回転しながら、感光ドラム１０表面の潜像画像に、保持しているトナーを供給すると、感光ドラム１０の表面には、トナー画像が形成される。
【００１４】
一方、第１給紙部３０に収納された記録材Ｓは、ＣＳＴピックアップローラ３１と分離手段３２により、一枚ずつ搬送ローラ４０に搬送される。搬送ローラ４０は、感光ドラム１０の表面のトナー画像と記録材Ｓの先端位置のタイミングを合わせるように、記録材Ｓを転写部１５へと搬送する。なお、シート格納手段としての第１給紙部３０には、すでにシートの面に印刷処理がなされた印刷済みのシートを新たに給紙するために収容することが可能である。また、給紙可能な印刷済みシートとして、最初に印刷する面を第１面と呼び、後続する反転処理で再給紙されて印刷される面を第２面と呼ぶ。また、第１給紙部３０には、当然の如く、第１面と第２面とが印刷済みでないシートも収容可能であることはいうまでもない。さらに、第１給紙部３０から両面フラッパ６１に通じる搬送経路を説明上、片面搬送路と呼び、両面印刷を実行しない場合にシートが搬送される際に使用される。
【００１５】
感光ドラム１０の回転により転写部１５に搬送されるトナー画像は、転写部１５に付与される印加バイアスと圧力によって、記録材Ｓに転写される。更に、転写部１５は、記録材Ｓを定着部５０に搬送する。定着部５０では、回転可能な加熱ローラ５１からの熱と、加熱ローラ５１と対向し、回転可能な加圧ローラ５２の圧力が、トナー画像を記録材Ｓに定着させる。トナー画像を定着された記録材Ｓは、排紙ローラ６０に搬送される。
片面印刷の場合、排紙ローラ６０は記録材Ｓをそのまま機外へ搬送し、記録材Ｓは第１排紙部７０に積載される。
また、画像形成装置１の構成物は図８にて説明をする電装８００によって制御されている。
図２は、本実施形態を示す画像形成装置における両面印刷プロセスを示す図である。
【００１６】
図２において、両面フラッパ６１は、記録材Ｓの後端が通過した後、搬送路を切り替える。その後、排紙ローラ６０は逆回転し、記録材Ｓを両面搬送路８０へ搬送する。スイッチバックした記録材Ｓは、搬送ローラ４１を介して画像読み取り部１００に搬送される。その後、記録材Ｓは、搬送ローラ４２及び搬送ローラ４０に搬送され、再び転写部１５へ搬送され、トナー画像の転写、定着を経て、第１排紙部７０に積載されていく。
図３は、本実施形態を示す画像形成装置における原稿表面の読み取り開始時の状態を示す図である。  以下、原稿情報の読み取りと、記録材への両面印刷を実施するプロセスについて説明する。
【００１７】
図３において、第２給紙部９０に収納された原稿Ｇは、ＣＩＳピックアップローラ９１と分離手段９２により、一枚ずつ搬送ローラ４１に搬送される。ここで、第２給紙部９０は、原稿給紙手段としても機能し、当該第２給紙部９０から給紙される原稿の面または印刷に供するシートの面は、画像読み取り部１００で読み取られる。つまり、画像読み取り部１００は、第１給紙部３０から給紙されるシートの面および第２給紙部９０から給紙される原稿またはシートの面をも読み取ることが可能に構成されている。
一方、画像読み取り部１００は、第２給紙部９０から給紙された原稿Ｇが原稿表面である第一面目の読み取り開始前までに白基準部材１０１への発光と、白基準値の修正を実施する。その後、駆動手段により駆動されて両面搬送路８０に対面する位置まで回転して停止する。搬送ローラ４１は、原稿Ｇを、画像読み取り部１００に搬送する。既に画像読み取り部１００は両面搬送路８０に対面する位置に待機しており、画像読み取り部１００で読み取られた情報は、図８にて詳細を説明する画像メモリ８０４に原稿第一面目の情報として記憶される。尚、白基準部材１０１は、下向きに配置されており、ごみ付着に対する配慮がなされている事を追記しておく。
図４は、本実施形態を示す画像形成装置における原稿表面である第一面目の読み取り終了時の状態を説明する図である。
【００１８】
図４において、画像読み取り部１００を通過した原稿Ｇは、搬送ローラ４２に搬送される。搬送ローラ４２は、原稿Ｇの後端がスイッチバックフラッパ８２を通過した時点で停止する。よって、原稿Ｇは搬送ローラ４２に挟持された状態で停止する。所定時間の経過後、原稿専用搬送路８１へ搬送されるように構成されている。
図５は、本実施形態を示す画像形成装置における原稿裏面である第二面目の読み取り開始時の状態を説明する図である。
【００１９】
図５において、スイッチバックフラッパ８２が搬送路を、両面搬送路８０から原稿専用搬送路８１に切り替えると同時に、画像読み取り部１００は、原稿専用搬送路８１に対面する位置に回転する。搬送ローラ４２が逆回転すると、原稿Ｇは、原稿専用搬送路８１に沿って、画像読み取り部１００に搬送される。なお、画像読み取り部１００は、ＣＰＵ８０１が読み取りモードに従いその読み取り位置が制御されて位置決めされる。
【００２０】
原稿Ｇが画像読み取り部１００に搬送され通過することで、原稿裏面である第二面目の情報を読み取り、画像メモリ８０４に原稿第二面目の情報として記憶する。第１給紙部３０から給紙された記録材Ｓは１枚ずつ搬送ローラ４０に搬送される。ほぼ同時に画像メモリ８０４に記憶された原稿裏面である第二面目の情報を基に発光部２１から先の画像情報に基づく感光ドラム１０への潜像画像が形成される。次に記録材Ｓは転写部１５で潜像画像により形成されたトナー画像を転写された後、定着部５０等を搬送され、原稿第二面目の画像形成が完了する。
なお、図５では原稿裏面である第二面の情報を読み取り開始とともに記録材Ｓの給紙を開始しているが、第二面の情報を読み取ったのち記録材Ｓを搬送しても良い。
図６は、本実施形態を示す画像形成装置における原稿裏面の読み取り終了時の状態を説明する図である。
【００２１】
図６において、画像読み取りを終了した原稿Ｇは、搬送ローラ４３及び搬送ローラ４４に搬送され、第２排紙部１１０に積載される。スイッチバックフラッパ８２は、原稿Ｇの後端が通過すると、記録材Ｓが搬送ローラ４０の方向に搬送されるよう、搬送路を原稿専用搬送路８１から両面搬送路８０へ切り替える。原稿第二面目の画像形成が完了した記録材Ｓは、排紙ローラ６０の逆回転によって、記録材Ｓを両面フラッパ６１によって切り替えられた両面搬送路８０に向けて搬送する。
図７は、本実施形態を示す画像形成装置における記録材Ｓへの画像形成が完了した状態を説明する図である。
【００２２】
図７において、両面搬送路８０に搬送された記録材（シート）Ｓは、反転している画像読み取り部１００を通過し、搬送ローラ４２を介して、搬送ローラ４０に搬送される、更に搬送され破線で示されている記録材Ｓにあるように再び転写部１５へ搬送される。既に記録材Ｓには、原稿第二面目の画像形成が既に終了している。そこで、先の画像メモリ８０４に記憶された原稿第一面目の画像情報に基づき、原稿第一面目の画像が、光学ユニット２と感光ドラム１０と現像ローラ１１と転写部１５と定着部５０とを用いてトナー画像の転写処理及び定着処理を行う。その後、シートは、第１排紙部７０に積載されていく。
【００２３】
図８は、本実施形態を示す画像形成装置の制御構成を説明するブロック図である。以下、画像形成装置１の制御手段であるＣＰＵ８０１の周辺ユニットおよびＡＳＩＣ８０２の動作について説明する。以下、図１等に示したコントローラ８００の構成について説明する。
【００２４】
図８において、ＣＰＵ８０１は、ポリゴンミラー、モータ及びレーザ発光素子などを含む発光部２１に、ＡＳＩＣ８０２を介して接続されている。これは、感光ドラム１０面上にレーザ光を走査することにより所望の潜像を描くため、ＡＳＩＣ８０２に対して制御信号を出力することによって光学ユニット２の制御を行うためである。
【００２５】
同様に、ＣＰＵ８０１は、記録材Ｓを搬送するためにＣＳＴピックアップローラ３１及び搬送ローラ４０、感光ドラム１０、転写部１５、加熱ローラ５１、加圧ローラ５２を駆動するためのメインモータ８３０を制御する。さらに、ＣＰＵ８０１は、記録材Ｓを給紙する給紙ローラの駆動開始時にオンしてＣＳＴピックアップローラ３１を駆動させるためのＣＳＴ給紙ソレノイド８２２を制御する。さらに、ＣＰＵ８０１は、ＣＩＳピックアップローラ９１と搬送ローラ４１、４４を駆動するための両面モータ８４０などの駆動系を制御する。
【００２６】
さらにＣＰＵ８０１は、電子写真プロセスに必要な１次帯電、現像、１次転写、２次転写バイアスを制御する高電圧電源８１０、並びに定着部５０及び低電圧電源８１１を制御する。さらに、ＣＰＵ８０１は、定着部５０に設けられたサーミスタ（図示せず）により温度をモニタし、定着温度を一定に保つ制御を行う。
【００２７】
また、ＣＰＵ８０１は、バス等（図示せず）を介してプログラムメモリ８０３に接続されている。プログラムメモリ８０３には、以上の制御及び本明細書に記載される各実施形態においてＣＰＵ８０１が行う処理のすべて又は一部を実行するためのプログラム及びデータが格納される。すなわち、ＣＰＵ８０１は、プログラムメモリ８０３に格納されたプログラム及びデータを用いて本発明の各実施形態の動作を実行する。
【００２８】
ＡＳＩＣ８０２は、ＣＰＵ８０１の指示に基づいて発光部２１内部のモータ速度制御、メインモータ８３０および両面モータ８４０の速度制御を行う。モータの速度制御は、モータ（図示せず）からのタック信号（モータが回転されるごとにモータから出力されるパルス信号）を検出して、タック信号の間隔が所定の時間となるようモータに対し加速又は減速信号を出力して行う。
このように、コントローラ８００は、ＡＳＩＣ８０２のハードウエアによる回路で構成したほうが、ＣＰＵ８０１の制御負荷の低減が図れるメリットがある。
【００２９】
ＣＰＵ８０１は、ホストコンピュータ（図示せず）から指示されたプリントコマンドを受信すると、メインモータ８３０、両面モータ８４０、ＣＳＴ給紙ソレノイド８２２を駆動して記録材Ｓを搬送する。
【００３０】
記録材Ｓは、転写部１５により感光ドラム１０表面に形成されたトナー像が転写された後、定着部５０によりトナー像が定着されてから、排紙ローラ６０により記録材積載部としての第１排紙部７０へ排出される。画像形成済み記録材の整列性を高めるため、第１排紙部７０は排紙口付近から記録材排出方向に向けてゆるやかな上り勾配が設けられている。ここでＣＰＵ８０１は、定着部５０に対して低電圧電源８１１を介して所定の電力を供給することよって所望の熱量を発生させて記録材Ｓに与え、記録材上のトナー画像を融着し定着させる。
次に、本実施形態を示す画像形成装置１における原稿読取動作について説明する。
【００３１】
ＣＰＵ８０１は、ホストコンピュータ（図示せず）から指示されたスキャンコマンドを受信すると、両面フラッパソレノイド８２０、両面モータ８４０を駆動し、ＣＩＳ給紙ソレノイドを操作する。これにより、両面モータ８４０のトルクをＣＩＳピックアップローラ９１に伝達させ、原稿Ｇを搬送する。また画像読み取り部１００は、後述する各種制御信号であるＣＩＳＬＥＤ、ＣＩＳＳＴＡＲＴ、ＳＹＳＣＬＫ、Ｓｌ＿ｉｎ、Ｓｌ＿ｓｅｌｅｃｔ、Ｓｌ＿ｏｕｔによりＡＳＩＣ８０２に接続されている。ＣＰＵ８０１は、ＡＳＩＣ８０２を介して各種制御により画像読み取り部１００から読み取った画像をＡＳＩＣ８０２に接続されている画像メモリ８０４に保存する。
【００３２】
その後、ＣＰＵ８０１は、スイッチバックソレノイド８２１を操作して、スイッチバックフラッパ８２を原稿専用搬送路側に倒し、両面モータ８４０を反転し、原稿Ｇを第２排紙部１１０まで搬送をする。
次に、本実施形態を示す画像形成装置における通信動作について説明する。
ＣＰＵ８０１は、ネットワークインタフェース８５０を介してネットワーク１０００に接続することで、図示しないホストコンピュータ等と通信して画像情報やデバイス情報の入出力を行う。
図９は、図１に示した原稿読み取り部の構成を説明図である。なお、イメージセンサとして、本実施形態では、ＣＩＳセンサ（Ｃｏｎｔａｃｔ  Ｉｍａｇｅ  Ｓｅｎｓｏｒ）を用いる例を示す。
【００３３】
図９において、９０１はコンタクトイメージセンサ（ＣＩＳ）部分であり、例えば１０３６８画素分のフォトダイオードが特定の主走査密度（例えば１２００ｄｐｉ）でアレイ状に配置される。９０２はＣＩＳセンサに与えるスタートパルスＣＩＳＳＴＡＲＴ信号である。９１５は転送クロックＣＩＳＣＬＫである。
９１４はＣＩＳセンサ部の動作速度を決めるシステムクロックＳＹＳＣＬＫである。９０８はＡ／Ｄコンバータ、９１６はＡ／Ｄコンバータのサンプリング速度を決定するＣＩＳサンプリングクロックＡＤＣＬＫである。９１７はタイミングジェネレータ、９０４は出力バッファである。９０５はシフトレジスタである。９０３は発光素子制御信号（ＣＩＳＬＥＤ）である。９０６は電流増幅手段である。９０７は原稿Ｇを均一に照射する発光素子である。以下、各部の動作について説明する。
【００３４】
ＣＩＳＳＴＡＲＴ信号９０２をアクティブとすると、ＣＩＳセンサ部９０１は受光した光に基づく電荷の蓄積を開始し、出力バッファ９０４にデータを順次セットする。
次に、転送クロックＣＩＳＣＬＫ９１５（例えば５００ｋＨｚ  ０１ＭＨｚ程度）を与えると、出力バッファ９０４にセットされたデータは、シフトレジスタ９０５によって、ＣＩＳＳＮＳ信号９１８として、Ａ／Ｄコンバータ９０８ヘと転送される。
このＣＩＳＳＮＳ信号９１８には所定のデータ保証領域があるため、転送クロックＣＩＳＣＬＫ９１５の立ち上がりタイミングから所定の時間が経過したのちにサンプリングする必要がある。またＣＩＳＳＮＳ信号９１８は、転送クロックＣＩＳＣＬＫ９１５の立ち上がりと立下りの双方のエッジに同期して出力される。
そのため、ＣＩＳサンプリングクロックＡＤＣＬＫ９１６の周波数は、転送クロックＣＩＳＣＬＫ９１５の２倍となるように生成され、ＣＩＳサンプリングクロックＡＤＣＬＫ９１６の立ち上りエッジにて、ＣＩＳＳＮＳ信号９１８がサンプリングされる。タイミングジェネレータ９１７は、システムクロックＳＹＳＣＬＫ９１４を分周して、ＣＩＳサンプリングクロックＡＤＣＬＫ９１６および転送クロックＣＩＳＣＬＫ９１５を生成する。なお、ＣＩＳサンプリングクロックＡＤＣＬＫ９１６の位相は、転送クロックＣＩＳＣＬＫ９１５と比べ、前記データ保証領域分だけ遅延している。
【００３５】
Ａ／Ｄコンバータ９０８でディジタル変換されたＣＩＳＳＮＳ信号９１８は、出力インターフェース回路９０９によって所定のタイミングで制御されて、Ｓｌ＿ｏｕｔ信号９１０にシリアルデータとして出力される。その際、スタートパルスＣＩＳＳＴＡＲＴ９０２から所定画素分のＣＩＳＳＮＳ信号９１８には、アナログ出力基準電圧が出力されており、有効画素としては使用できない。
一方、制御回路９１１によって、Ｓｌ＿ｉｎ信号９１２およびＳｌ＿ｓｅｌｅｃｔ信号９１３によりＡ／Ｄコンバータ９０８のＡ／Ｄ変換ゲインが可変制御できる。
【００３６】
例えば、撮像した映像のコントラストが得られない場合は、ＣＰＵ８０１はＡ／Ｄコンバータ９０８のＡ／Ｄ変換ゲインを大きくすることによりコントラストを増加させ、常に最良なコントラストで撮像することができる。
【００３７】
ここでは、すべての画素が一つのＣＩＳＳＮＳ信号９１８として出力される系にて説明を行なったが、高速読み取りのために画素をエリアごとに分割し、複数エリアを同時にＡ／Ｄ変換を行なっても良い。また、ここまで画像読み取り部００にＣＩＳセンサを用いて説明を行なってきたものの、ＣＭＯＳセンサやＣＣＤセンサ等にて置き換え可能であることは言うまでもない。
次に、本実施形態において、情報処理装置のプリンタドライバから画像形成装置に対して印刷ジョブの送信する処理について、図１０、図１１、図１２を使用して説明する。
【００３８】
図１０は、本実施形態を示す情報処理装置の構成を説明ブロック図である。本例は、情報処理装置をＰＣ１０００１で構成する例を示す。
図１０において、ＰＣ１０００１には画像形成装置１に対応したプリンタドライバ１０００２（ここでは図示しない）がすでにインストールされているものとする。ＰＣ操作部１０００３はユーザによるプリンタドライバ設定画面１２００１（後述する）の操作を受け取り、印刷ジョブに関する設定を行う。ＰＣ表示部１０００４は、プリンタドライバ設定画面１２００１を表示する。プリンタドライバ１０００２はＰＣ通信部１０００５を介して印刷ジョブを画像形成装置１に送信する。
図１１は、本実施形態を示す情報処理装置の制御方法を説明するフローチャートである。本例は、ＰＣ１０００１が印刷ジョブを画像形成装置１に投入する処理例である。なお、各ステップは、情報処理装置のＣＰＵがプリンタドライバ１０００２を実行することで実現される。
図１２は、図１０に示したＰＣ表示部１０００４に表示されるユーザインタフェース画面の一例を示す図である。本例は、プリンタドライバ１０００２がＰＣ表示部１０００４に表示したプリンタドライバ設定画面の例を示す。
【００３９】
Ｓ１１００１において、ＰＣ操作部１０００３は、ユーザからプリンタドライバ設定画面１２００１の表示の指示を受け取り、プリンタドライバ設定画面１２００１をＰＣ表示部１０００４に表示する。プリンタドライバ設定画面１２００１は、印刷ジョブに関する設定が可能である。
【００４０】
ここで、本実施形態では、画像形成装置が印刷ジョブを受信し、印刷を開始する前に給紙部のシートを読み取ってから、そのシートに対して印刷する機能を「読み取り原稿印刷機能」と呼ぶ。
また、この読み取り原稿印刷機能の有効か無効かを示す設定を「読み取り原稿印刷設定」と呼ぶ。本実施形態の読み取り原稿印刷設定には、２つのモードが含まれる。１つ目のモードは、ユーザがシートの白紙となる面に対して印刷を指示するモードであり、「白紙印刷モード（裏面印刷モード）」と呼ぶ。２つ目のモードは、ユーザが予め印刷されたシートの面に対して印刷を指示するモードであり、「上書き印刷モード」と呼ぶ。
この白紙印刷モードと上書き印刷モードとは、読み取り原稿印刷設定を有効となった際に必ずどちらか一方が設定される。また、この２つのモードを一度に両方有効にすることはできないように制御されている。上述の読み取り原稿印刷設定や用紙サイズや印刷部数など印刷に関する設定は、図１２に示すプリンタドライバ設定画面１２００１から行えるように構成されている。
【００４１】
Ｓ１１００２において、ＰＣ操作部１０００３は、ユーザによるプリンタドライバ設定画面１２００１の操作を受け取り、印刷ジョブに関する設定を行う。ここで、ユーザが読み取り原稿印刷設定を設定したい場合、プリンタドライバ設定画面１２００１内の読み取り原稿印刷設定チェックボックス１２００２をＰＣ操作部１０００３から選択し、チェックを入れる。読み取り原稿印刷設定チェックボックス１２００２にチェックが入ると、白紙印刷モード設定ボタン１２００３及び上書き印刷モード設定ボタン１２００４のいずれか一方を設定可能に表示される。つまり、ユーザは、白紙印刷モード設定ボタン１２００３または上書き印刷モード設定ボタン１２００４のいずれか一方のボタン以外は選択できない構成となっている。なお、１２００６はキャンセルボタンである。
図１２に示す表示画面では、現在ユーザが読み取り原稿印刷設定チェックボックス１２００２にチェックをいれた場合、読み取り原稿印刷機能が有効となり、且つ白紙印刷モード設定ボタン１２００３が選択されている例を表示している。設定完了後、ユーザは、印刷ジョブ設定完了ボタン１２００５として機能するＯＫボタンを押下する。
【００４２】
本実施形態に示すプリンタドライバ設定画面１２００１では、読み取り原稿印刷設定の使用有無以外にも、用紙サイズや印刷部数、印刷色など印刷に関する設定が可能である。本実施形態ではそれらをまとめて印刷設定と称する。
尚、本実施形態では、読み取り原稿印刷設定は、複数ページを画像データとして含む印刷ジョブに対しても、印刷ジョブ全体に１つ設定されるものとするが、限定はしない。すなわち印刷ジョブの１ページ毎に読み取り原稿印刷設定が設定されても良い。
【００４３】
次に、Ｓ１１００３において、プリンタドライバ１０００２は、読み取り原稿印刷設定チェックボックス１２００２のチェックの有無を取得し、読み取り原稿印刷設定が有効となっているか判断する。ここで、読み取り原稿印刷設定チェックボックス１２００２が有効であるとプリンタドライバ１０００２が判断した場合、プリンタドライバ１０００２は、印刷設定に読み取り原稿印刷設定を追加し、印刷ジョブを生成する。そして、Ｓ１１００６に移行する。
一方、Ｓ１１００３において、読み取り原稿印刷設定チェックボックス１２００２が無効とプリンタドライバ１０００２が判断した場合、プリンタドライバ１０００２は、読み取り原稿印刷設定を付加せずに印刷ジョブを生成する。そして、Ｓ１１００６に移行する。
Ｓ１１００６において、プリンタドライバ１０００２は、ＰＣ通信部１０００５を介して印刷ジョブを画像形成装置１に送信する。
以上が、ユーザがＰＣ１０００１のプリンタドライバ１０００２からパスワード付き印刷ジョブを投入する処理の流れの説明である。
次に、本実施形態における画像形成装置１の印刷処理について、図８、図１３を使用して説明する。
【００４４】
図１３は、本実施形態を示す画像形成装置の制御方法を説明するフローチャートである。各ステップに対応するプログラムがプログラムメモリ８０３、ＳＲＡＭ８６０のいずれかの記憶手段に格納され、その格納されたプログラムをＣＰＵ８０１が実行することで実現される。なお、以下の説明では、画像形成装置１のＣＰＵ８０１、ＡＳＩＣ８０２、プログラムメモリ８０３、ＳＲＡＭ８６０を含めて制御部５と称し、制御主体をコントローラ８００のＣＰＵ８０１として本実施形態の印刷制御について説明する。
【００４５】
Ｓ１３００１において、ＣＰＵ８０１は、ＰＣ通信部１０００５から送信される印刷ジョブをネットワークインタフェース８５０から受信し、受信した印刷ジョブを画像メモリ８０４に保存する。次に、Ｓ１３００２に移行する。
【００４６】
Ｓ１３００２において、ＣＰＵ８０１は、受信した印刷ジョブの印刷設定を取得する。次に、ＣＰＵ８０１は、取得した印刷設定に「読み取り原稿印刷設定」が指示されているかを判断する（Ｓ１３００３）。
【００４７】
Ｓ１３００３において、ＣＰＵ８０１は取得した印刷設定に読み取り原稿印刷設定が指示されていないと判断した場合、ＣＰＵ８０１は、印刷ジョブの現在のページに対して印刷を実行する（Ｓ１３００８）。そしてＳ１３０１０に移行する。Ｓ１３００３において、ＣＰＵ８０１は取得した印刷設定に読み取り原稿印刷設定が指示されていると判断した場合、Ｓ１３００４に移行する。
【００４８】
Ｓ１３００４において、ＣＰＵ８０１は、図１に示した第１給紙部３０に収納されたシートの印刷対象となる面に対し、画像読み取り部１００での読み取りを実行する。このときの読み取ったシート（第１面目のシート）の画像データは画像メモリ８０４に保持され、ＣＰＵ８０１によって管理される。
【００４９】
次に、Ｓ１３００５において、ＣＰＵ８０１は、Ｓ１３００２で取得した印刷設定の読み取り原稿印刷設定が「白紙印刷モード」であるのか「上書き印刷モード」であるのかを判断する。Ｓ１３００５において、ＣＰＵ８０１が印刷ジョブの読み取り原稿印刷設定が「白紙印刷モード」であると判断した場合、Ｓ１３００６に移行する。Ｓ１３００５において、ＣＰＵ８０１が印刷ジョブの読み取り原稿印刷設定が「上書き印刷モード」であると判断した場合、Ｓ１３００７に移行する。
【００５０】
Ｓ１３００６において、ＣＰＵ８０１は、画像メモリ８０４に格納している印刷対象となるシートの面（第１面目）の画像データが白紙（白紙画像データ）か否かを判断する。本実施形態において、ＣＰＵ８０１が画像データの白紙を判断する方法としては、読み取った画素データに印刷すべき画素情報が一定の閾値以下、例えば全体画素数の１％以下の画素情報しかなければ白紙と見なす方法とするが、特に限定はしない。例えば、閾値は５％以下など、別の値や方法でもよい。これにより、微量のゴミが原稿読取面に付着した原稿であっても、白紙であると判別することが可能となる。
Ｓ１３００６において、ＣＰＵ８０１が印刷対象となるシートの面の画像データが白紙であると判断した場合、ＣＰＵ８０１は、印刷ジョブの現在のページに対して印刷を実行する（Ｓ１３００８）。そして、Ｓ１３０１０に移行する。
一方、Ｓ１３００６において、ＣＰＵ８０１が印刷対象となるシートの面の画像データが白紙ではない判断した場合、ＣＰＵ８０１は、印刷ジョブの現在のページに対して印刷を中止する（Ｓ１３００９）。そして印刷処理を終了する。
このＳ１３００６の処理によって、ユーザが白紙印刷モードで印刷ジョブの実行を指示した場合に、第１位給紙部３０から給紙された白紙では無いシートの面に対して印刷することを防ぐことが可能である。
【００５１】
一方、Ｓ１３００７では、ＣＰＵ８０１が画像メモリ８０４に格納している印刷対象となるシートの面（第１面目）の画像データが存在するか否かを判断する。本実施形態において、ＣＰＵ８０１が画像データの存在を判断する方法としては、読み取った画素情報に印刷すべき画素情報がある閾値以上、例えば全体画素数１％以上存在するかによって判断するが、特に限定はしない。
例えば、閾値を５％以上にする場合や、予め定められたシートの箇所に画素情報があるか否かで判断するなど、別の値や手法でもよい。
Ｓ１３００７において、ＣＰＵ８０１が印刷対象となるシートの面の画像データが存在する判断した場合、ＣＰＵ８０１は、印刷ジョブの現在のページに対して印刷を実行する（Ｓ１３００８）。そして、Ｓ１３０１０に移行する。
一方、Ｓ１３００７において、ＣＰＵ８０１が印刷対象となるシートの面の画像データが存在しないと判断した場合、ＣＰＵ８０１は、印刷ジョブの現在のページに対して印刷を中止する（Ｓ１３００９）。そして印刷処理を終了する。
このＳ１３００７の処理によって、ユーザが上書き印刷モードで印刷ジョブの実行を指示した場合に、第１位給紙部３０から給紙された白紙のシートの面に対して印刷することを防ぐことが可能である。
【００５２】
Ｓ１３０１０において、ＣＰＵ８０１は、印刷ジョブの印刷対象としたページが最終ページであるかを判断する。Ｓ１３０１０において、ＣＰＵ８０１は、印刷ジョブの印刷対象としたページが最終ページでは無いと判断した場合、Ｓ１３００３に移行する。
一方、Ｓ１３０１０においてＣＰＵ８０１は印刷ジョブの印刷対象としたページが最終ページであると判断した場合、ＣＰＵ８０１は印刷処理を終了する。
【００５３】
ここで、本実施形態では、Ｓ１３００９でＣＰＵ８０１が印刷ジョブ全体を中止しているが、これは第１給紙部３０に意図しないシートが１枚存在しているのであれば、その後の第１給紙部３０に格納されているシートも意図しないものと想定しているためである。しかしながら、印刷ジョブに含まれる次のページを印刷するかの判断を行ってもよく、特に限定はしない。その場合、Ｓ１３００９の処理後、Ｓ１３０１０に移行する。
【００５４】
以上が、給紙段のシートを印刷前に事前に読み取り、そのシートに対して印刷可能な画像形成装置１において、ユーザからの上書き印刷モードや白紙印刷モードの指示と読み取ったシートの面の画像データに応じて印刷実行や中止を切り替える処理の説明である。
上述の処理によって、第１位給紙部３０から給紙されたシートであって、ユーザの意図しないシートの面に対する印刷を防ぐことができ、不要な印刷物の作成防止を実現できる。
〔第２実施形態〕
【００５５】
上記第１実施形態では、ユーザからの「上書き印刷モード」や「白紙印刷モード」の指示と読み取ったシートの面の画像データの条件が一致しなければ、印刷を中止していた。
しかしながら、読み取ったシートの「裏面」であれば、画像データの条件が一致する場合が想定される。例えば、給紙段に裏表逆にシートを入れていた場合などである。この場合、裏面に対してもシートの画像データを判断し、印刷の実行や中止を判断することで、印刷可能なケースを増やすことが可能である。
【００５６】
また、第１実施形態では画像形成装置は「上書き印刷モード」と「白紙印刷モード」のどちらの読み取り原稿印刷設定も実行可能としていた。しかし、運用として初めから実行可能な読み取り原稿印刷設定を限定することもあり得る。画像形成装置が運用を限定したい場合、予め指示可能な読み取り原稿印刷設定を限定することで、不要なシートの読み込みを減らすことが可能である。
【００５７】
第２実施形態では、第１の実施形態に示した画像形成装置の処理に加え、初めに読み取ったシートの面の画像データの条件がユーザからの指示と一致しない場合に、シートの裏の面を読み取り、印刷可能かを判断する場合の制御において説明する。
【００５８】
さらに、第２実施形態では、画像形成装置に対し、許可する読み取り原稿印刷設定を設定でき、許可された読み取り原稿印刷設定に応じて上書き印刷モードや白紙印刷モードを実行するかを切り替える場合の制御について説明する。
【００５９】
第２実施形態における、画像形成装置１が実行する印刷ジョブの印刷処理の制御について図８、図１４、図１５を参照して詳細に説明する。なお、本実施形態において、画像形成装置１の構成、シートの読み取りや印刷処理、プリンタドライバの印刷ジョブの送信処理など、説明しない部分については、第１実施形態と同じである。
【００６０】
図１４は、本実施形態を示す画像形成装置の制御方法を説明するフローチャートである。各ステップに対応するプログラムがプログラムメモリ８０３、ＳＲＡＭ８６０のいずれかの記憶手段に格納され、その格納されたプログラムをＣＰＵ８０１が実行することで実現される。なお、以下の説明では、画像形成装置１のＣＰＵ８０１、ＡＳＩＣ８０２、プログラムメモリ８０３、ＳＲＡＭ８６０を含めてＣＰＵ８０１と称し、制御主体をＣＰＵ８０１として本実施形態の印刷制御について説明する。なお、図１４に示す処理は、図１３に示した処理に対し、Ｓ１４００１１〜Ｓ１４０１５の処理が追加される。この追加される処理は、画像形成装置がどの読み取り原稿印刷設定を許可するかに応じて印刷処理を切り替える制御や、シートの裏面を読み取り指示された読み取り原稿印刷設定の条件と一致するかを判断する制御に関するものであり、詳細は後述する。また、図１４で示すフローチャートのＳ１４００１〜Ｓ１４０１０処理は、図１３のフローチャートで説明したＳ１３００１〜Ｓ１３０１０の処理と同様である。以下、本実施形態において、第１実施形態とは異なる処理に関わる部分を説明する。
Ｓ１４００３において、ＣＰＵ８０１は、取得した印刷設定に読み取り原稿印刷設定が指示されていると判断した場合、Ｓ１４０１１に移行する。
【００６１】
Ｓ１４０１１において、ＣＰＵ８０１は、図８に示したＳＲＡＭ８６０に保持されている読み取り原稿印刷機能運用設定を取得し、画像形成装置１がＳ１４００２で取得した印刷ジョブの印刷設定の読み取り原稿印刷設定を許可しているかを判断する。
【００６２】
図１５は、図１０に示したＰＣ表示部１０００４に表示されるユーザインタフェース画面の一例を示す図である。本例は、本実施形態における画像形成装置１の読み取り原稿印刷機能運用設定画面１５００１である。なお、原稿印刷機能とは、シートの第１面または第２面に画像が印刷されたシートであって、第１給紙部３０に収容されて印刷すべきシートして給紙される印刷済みのシートへ印刷する機能を呼ぶ。
本画面は、画像形成装置１が持つリモートＵＩ（ユーザインタフェース）のサービスとしてＣＰＵ８０１がネットワークインタフェース８５０を介して提供しており、ＰＣ表示部１０００４によって表示し、ＰＣ操作部１０００３によって操作を受け付ける。本実施形態に示す画像形成装置１は大画面の液晶画面などのローカルＵＩを持たない構成であるため、リモートＵＩを例としているが、特に限定はせず、ローカルＵＩを備えて本画面を画像形成装置１側で表示できるように制御してもよい。
【００６３】
図１５に示す読み取り原稿印刷機能運用設定画面１５００１では、画像形成装置１が「白紙印刷モード」を指示した印刷ジョブを許可するか否かについて、白紙印刷モード運用有効ボタン１５００２、白紙印刷モード運用無効ボタン１５００３によって指定できる。また、画像形成装置１が上書き印刷モードを指示した印刷ジョブを許可するか否かについて、上書き印刷モード運用有効ボタン１５００４、上書き印刷モード運用無効ボタン１５００５によって設定できるように構成されている。当該画面を用いてユーザにより設定された値は、ＰＣ通信部１０００５からネットワークインタフェース８５０を介してＣＰＵ８０１に送信され、ＳＲＡＭ８６０に保持される。なお、読み取り原稿印刷機能運用設定画面１５００１でユーザが設定した内容を確定して、該印刷機能運用設定を画像形成装置１に送信するためには、ユーザがＯＫボタン１５００６を押下する。これに対して、該印刷機能運用設定を取り消すためには、ユーザがキャンセルボタン１５００７を押下する。
【００６４】
Ｓ１４０１１において、ＣＰＵ８０１は、ＳＲＡＭ８６０に保持されている読み取り原稿印刷機能運用設定を取得し、印刷ジョブに付加された読み取り原稿印刷設定を許可していると判断した場合、Ｓ１４００４に移行する。Ｓ１４０１１において、ＣＰＵ８０１は、ＳＲＡＭ８６０に保持されている読み取り原稿印刷機能運用設定を取得し、印刷ジョブに付加された読み取り原稿印刷設定を許可していない判断した場合、Ｓ１４００９へ進む。そして、Ｓ１４００９で、ＣＰＵ８０１は印刷を中止して、本印刷処理を終了する。
上述の処理によって、管理者が意図しない読み取り原稿印刷設定を予め制限することで、必要のないシートの読み込みを減らすことが可能である。
本実施形態では、ＰＣ１０００１から印刷ジョブを送信する際に、送信先の画像形成装置１の読み取り原稿印刷機能運用設定が分からない場合に有効である。しかしながら、ＰＣ１０００１が送信先の画像形成装置１の原稿印刷機能運用設定を取得できるのであれば、プリンタドライバ設定画面１２００１において、予め許可された読み取り原稿印刷設定のみ表示または操作可能としてもよい。
【００６５】
一方、Ｓ１４００６において、ＣＰＵ８０１が印刷対象となるシートの面の画像データが白紙ではない判断した場合、ＣＰＵ８０１は、Ｓ１４００４で読み取ったシートの裏面（第２面目）に対し、画像読み取り部００での読み取りを実行する（Ｓ１４０１２）。このときの読み取ったシートの画像データに関しても、画像メモリ８０４に保持され、ＣＰＵ８０１によって管理される。
【００６６】
次に、Ｓ１４０１３において、ＣＰＵ８０１は、Ｓ１４０１２で読み取って画像メモリ８０４に格納しているシートの面（第２面目）の画像データが白紙か否かを判断する。Ｓ１４０１３において、ＣＰＵ８０１がシートの面の画像データが白紙ではない判断した場合、ＣＰＵ８０１は印刷ジョブの現在のページに対して印刷を中止する（Ｓ１４００９）。
一方、Ｓ１４０１３において、ＣＰＵ８０１が読み取ったシートの面の画像データが白紙であると判断した場合、ＣＰＵ８０１は印刷ジョブの現在のページに対して印刷を実行する（Ｓ１４００８）。
【００６７】
上述の処理によって、ユーザが「白紙印刷モード」で印刷ジョブの実行を指示した場合に、シートの表面（第一に読み取った面）が白紙では無かった場合でも、シートの裏面（第二に読み取った面）を読み取り、白紙であるならば、印刷を行うことが可能となる。
これにより、ユーザは、第１給紙部３０にセットして給紙したシートに印刷ジョブに基づく印刷データの印刷を続行できるケースを増やすことができる。
【００６８】
また、Ｓ１４００７において、ＣＰＵ８０１印刷対象となるシートの面の画像データに画像データが存在しない判断した場合、ＣＰＵ８０１は、Ｓ１４００４で読み取ったシートの裏面に対し、画像読み取り部００での読み取りを実行する（Ｓ１４０１４）。
【００６９】
次に、Ｓ１４０１５において、ＣＰＵ８０１は、Ｓ１４０１４で読み取って画像メモリ８０４に格納しているシートの面（第２面目）の画像データが含まれているか否かを判断する。Ｓ１４０１５において、ＣＰＵ８０１がシートの面の画像データが存在しない判断した場合、ＣＰＵ８０１は印刷ジョブの現在のページに対して印刷を中止する（Ｓ１４００９）。
一方、Ｓ１４０１５において、ＣＰＵ８０１が読み取ったシートの面の画像データが存在すると判断した場合、ＣＰＵ８０１は印刷ジョブの現在のページに対して印刷を実行する（Ｓ１４００８）。
【００７０】
上述の処理によって、ユーザが「上書き印刷モード」で印刷ジョブの実行を指示した場合に、シートの表面に画像データが存在しない場合でも、シートの裏面を読み取り、画像データが存在すると判断した場合は印刷を行うことが可能となる。
これにより、ユーザは、第１給紙部３０にセットして給紙したシートに印刷ジョブに基づく印刷データを印刷できるケースを増やすことができる。
【００７１】
以上が、初めに読み取ったシートの面の画像データの条件がユーザからの指示と一致しない場合に、シートの裏面を読み取り、印刷可能かを判断する制御と、画像形成装置の許可する読み取り原稿印刷設定に応じて処理の実行を切り替える制御との説明である。
【００７２】
この裏面に対してもシートの画像データを判断し、印刷の実行や中止を判断する制御によってユーザが印刷ジョブを送信した際に印刷可能なケースを増やすことが可能である。また、画像形成装置が指示された印刷ジョブの読み取り原稿印刷設定に対して許可する読み取り原稿印刷設定を設定し、運用を限定させることで、不要なシートの読み込みを減らすことが可能である。
【００７３】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００７４】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００７５】
１  画像形成装置
１０  第１給紙部
１００  原稿読み取り部
８０１  ＣＰＵ
８０２  ＡＳＩＣ
８０３  プログラムメモリ
８０４  画像メモリ
【図１】
2013235038.tif 000003
【図２】
2013235038.tif 000004
【図３】
2013235038.tif 000005
【図４】
2013235038.tif 000006
【図５】
2013235038.tif 000007
【図６】
2013235038.tif 000008
【図７】
2013235038.tif 000009
【図８】
2013235038.tif 000010
【図９】
2013235038.tif 000011
【図１０】
2013235038.tif 000012
【図１１】
2013235038.tif 000013
【図１２】
2013235038.tif 000014
【図１３】
2013235038.tif 000015
【図１４】
2013235038.tif 000016
【図１５】
2013235038.tif 000017